(57)【要約】【課題】  発泡合成樹脂の発泡成形時に、表皮材のステー挿入口から発泡合成樹脂の漏洩が生じるのを防止することができるヘッドレストを提供する。【解決手段】  表皮材２１の底部の開口部２３を、表皮材２１の生地２２Ａの端縁を内向きに折り返した一対の折り返し部２２ａ，２２ｂ間に形成する。開口部２３の両側には両折り返し部２２ａ，２２ｂを各一対の間隔をおいた縫い目２５，２６にて縫着することにより、ヘッドレストステーの脚部を挿入するための一対のステー挿入口２４Ａ，２４Ｂを区画形成する。各一対の縫い目２５，２６のうちで、開口部２３側に位置する内側の縫い目２６の一部には、ステー挿入口２４Ａ，２４Ｂの中心側に変位する変位部２８を設ける。【選択図】      図２
2005041410.tif 000002
【特許請求の範囲】
【請求項１】
底部にスリット状の開口部を設けた袋状の表皮材の内部にヘッドレストステーの基端部を挿入した状態で、開口部から表皮材の内部に注入された発泡合成樹脂を発泡成形してなるヘッドレストであって、
前記表皮材の開口部を表皮材の生地の端縁を内向きに折り返した一対の折り返し部間に形成し、その開口部の両側には両折り返し部を各一対の縫い目にて縫着することにより、ヘッドレストステーの脚部を挿入するための一対のステー挿入口を区画形成し、
前記各一対の縫い目のうちで、少なくとも一方の縫い目の一部には、ステー挿入口を狭める側に変位する変位部を設けたことを特徴とするヘッドレスト。
【請求項２】
表皮材は複数の生地を縫着して構成され、前記ステー挿入口を構成する各一対の縫い目の一方は、生地を縫着する縫い目であり、各一対の縫い目の他方に前記変位部が形成されていることを特徴とした請求項１に記載のヘッドレスト。
【請求項３】
前記変位部をステー挿入口の延長方向の中間部に設けたことを特徴とする請求項１または２に記載のヘッドレスト。
【請求項４】
前記変位部をステー挿入口の延長方向の内端部に設けたことを特徴とする請求項１または２に記載のヘッドレスト。
【請求項５】
前記変位部をステー挿入口の延長方向の外端部に設けたことを特徴とする請求項１または２に記載のヘッドレスト。
【請求項６】
一方のステー挿入口の変位部をステー挿入口の延長方向の内端部に設け、他方のステー挿入口の変位部をステー挿入口の延長方向の外端部に設けたことを特徴とする請求項１または２に記載のヘッドレスト。
【発明の詳細な説明】
【技術分野】
【０００１】
この発明は、例えば自動車の座席等に取り付けられるヘッドレストに関するものである。
【背景技術】
【０００２】
従来、この種のヘッドレストとしては、例えば、特許文献１に開示されるような構成のものが知られている。すなわち、この特許文献１の従来構成においては、底部にスリット状の開口部を設けた袋状の表皮材の内部にヘッドレストステーの基端部が挿入されている。そして、この状態で表皮材の内部に開口部から発泡合成樹脂が注入されて発泡されることにより、ヘッドレストのパッド部が成形されている。
【０００３】
また、この従来構成においては、図１０に表皮材４１の開口部４２の構造を表裏反転状態で示すように、開口部４２が表皮材４１を構成する生地に形成された一対の折り返し部４１ａ，４１ｂ間に形成されている。この折り返し部４１ａ，４１ｂは、パッド部が成形された状態では表皮材４１の内方に向かって折り返される。そして、図１０及び図１１（ａ）に示すように、その開口部４２の両側には両折り返し部４１ａ，４１ｂを各一対の相互間隔をおいた縫い目４３，４４にて縫着することにより、ヘッドレストステー４５の脚部４５ａを挿入するための一対のステー挿入口４６が区画形成されている。
【０００４】
この場合、図１１（ａ）に示すように、一対のステー挿入口４６間の間隔Ｌ１がヘッドレストステー４５の脚部４５ａ間の間隔Ｌ２よりも狭くなるように形成されている。そして、両ステー挿入口４６にヘッドレストステー４５の両脚部４５ａを強制的に挿入することにより、前記間隔Ｌ１，Ｌ２の寸法差に基づいて表皮材４１の開口部４２が両側方に引っ張られて、開口部４２が閉合状態に保持されるようになっている。これにより、前記発泡合成樹脂の発泡成形時に、開口部４２からの発泡合成樹脂の漏洩が防止されるようになっている。
【特許文献１】特開平９−９５１９９号公報
【発明の開示】
【発明が解決しようとする課題】
【０００５】
ところが、この従来のヘッドレストにおいては、図１１（ｂ）に示すように、間隔Ｌ１の狭い両ステー挿入口４６に間隔Ｌ２の広いヘッドレストステー４５の両脚部４５ａを強制挿入したとき、各ステー挿入口４６が開口部４２側と反対の外側方に向かって押し広げられる。これにより、両ステー挿入口４６の隙間Ｓが生じ、発泡合成樹脂の発泡成形時に、この隙間Ｓから発泡合成樹脂が漏洩して、そのままではヘッドレストとしての外観が著しく損なわれるという問題があった。
【０００６】
このような問題に対処するため、例えば図１０に示すように、両ステー挿入口４６の口径寸法Ｌ３を小さくしたり、両ステー挿入口４６の延長方向の長さ寸法Ｌ４を大きくしたり、両ステー挿入口４６の内周面にシート状のシール部材を設けたりする方法が考えられる。しかしながら、ステー挿入口４６の口径寸法Ｌ３を小さくした場合には、ヘッドレストステー４５の両脚部４５ａをステー挿入口４６に挿入しにくくなって、製造工程における作業性が悪化するとともに、ステー４５の挿入に際して無理な力が加えられて、ステー挿入口４６の周縁付近に皺が発生し、外観が悪くなるという問題が生じた。
【０００７】
また、両ステー挿入口４６の延長方向の長さ寸法Ｌ４を大きくした場合には、表皮材４１の折り返し部４１ａ，４１ｂの幅を大きく形成する必要があって、表皮材４１の生地を浪費するとともに、幅の広い折り返し部４１ａ，４１ｂが発泡合成樹脂の発泡時の流れを阻害して、表皮材４１の底部に空気溜りが発生しやすいという新たな問題が生じた。つまり、発泡された合成樹脂が折り返し部４１ａ，４１ｂの内面に沿って流れることにより、表皮材４１内の余分な空気が開口４２から排出されるが、折り返し部４１ａ，４１ｂの幅が広いと、余分な空気の排出が行われないおそれがある。さらに、表皮材４１の両ステー挿入口４６の内周面にシール部材を設けた場合には、部品点数が多くなるとともに加工が面倒になって、製造コストが高くなるという新たな問題が生じた。
【０００８】
この発明は、このような従来の技術に存在する問題点に着目してなされたものである。その目的は、発泡合成樹脂の発泡成形時に、表皮材のステー挿入口から発泡合成樹脂の漏洩が生じるのを防止することができるとともに、前述した外観や製造コスト等の問題を解消できるヘッドレストを提供することにある。
【課題を解決するための手段】
【０００９】
上記の目的を達成するために、請求項１に記載の発明は、底部にスリット状の開口部を設けた袋状の表皮材の内部にヘッドレストステーの基端部を挿入した状態で、開口部から表皮材の内部に注入された発泡合成樹脂を発泡成形してなるヘッドレストであって、前記表皮材の開口部を表皮材の生地の端縁を内向きに折り返した一対の折り返し部間に形成し、その開口部の両側には両折り返し部を各一対の縫い目にて縫着することにより、ヘッドレストステーの脚部を挿入するための一対のステー挿入口を区画形成し、前記各一対の縫い目のうちで、少なくとも一方の縫い目の一部には、ステー挿入口を狭める側に変位する変位部を設けたことを特徴とするものである。
【００１０】
請求項２に記載の発明は、請求項１に記載の発明において、表皮材は複数の生地を縫着して構成され、前記ステー挿入口を構成する各一対の縫い目の一方は、生地を縫着する縫い目であり、各一対の縫い目の他方に前記変位部が形成されていることを特徴としたものである。
【００１１】
請求項３に記載の発明は、請求項１または２に記載の発明において、前記変位部をステー挿入口の延長方向の中間部に設けたことを特徴とするものである。
請求項４に記載の発明は、請求項１または２に記載の発明において、前記変位部をステー挿入口の延長方向の内端部に設けたことを特徴とするものである。
【００１２】
請求項５に記載の発明は、請求項１または２に記載の発明において、前記変位部をステー挿入口の延長方向の外端部に設けたことを特徴とするものである。
請求項６に記載の発明は、請求項１または２に記載の発明において、一方のステー挿入口の変位部をステー挿入口の延長方向の内端部に設け、他方のステー挿入口の変位部をステー挿入口の延長方向の外端部に設けたことを特徴とするものである。
【００１３】
（作用）
この発明においては、各ステー挿入口の口径が内側の縫い目の一部に設けられた変位部により部分的に狭くなる。よって、発泡合成樹脂の発泡成形時に、表皮材のステー挿入口から発泡合成樹脂の漏洩が生じるのを防止することができる。また、ステー挿入口の全長に亘って口径を狭くしていないので、ステー挿入口にヘッドレストステーの両脚部を容易に挿入することができるとともに、ステーの挿入状態でステー挿入口の周縁付近に皺が発生するおそれを抑制することができる。
【００１４】
ここで、ヘッドレストステーは一方の脚部が一方のステー挿入口から表皮材の内部を通って他方のステー挿入口から外部へ出ることにより、両脚部がステー挿入口から突出した状態で表皮材に組み付けられる。従って、一方のステー挿入口の変位部をステー挿入口の延長方向の内端部に設け、他方のステー挿入口の変位部をステー挿入口の延長方向の外端部に設けることにより、脚部を一方のステー挿入口にその広くなった側から通せば、他方のステー挿入口に対しても広くなった側から通ることになるため、製造工程におけるステーの組み付けが容易になる。
【発明の効果】
【００１５】
以上のように、この発明によれば、発泡合成樹脂の発泡成形時に、表皮材のステー挿入口から発泡合成樹脂の漏洩が生じるのを防止することができて、外観を向上できる。また、表皮材に皺が形成されるのを防止できるため、同様に外観を向上できる。しかも、製造が容易になって、コストダウンが可能になる。
【発明を実施するための最良の形態】
【００１６】
（第１実施形態）
以下に、この発明の第１実施形態を、図１〜図３に基づいて説明する。
図１に示すように、このヘッドレストのパッド部２０の外周面を形成する表皮材２１は、所定形状に裁断した複数枚の生地２２Ａの両端を縫製するとともに、そこに別の生地２２Ｂ，２２Ｃを縫製して、全体として袋状となるように縫着した後、表裏を反転させて形成されている。表皮材２１の底部中央には、すなわちパッド部２０の底部中央には、スリット状の開口部２３が形成され、表皮材２１の縫着後の表裏反転がこの開口部２３を通して行われる。
【００１７】
図２には、表裏反転前の表皮材２１の開口部２３の構造を示してある。この図２に示すように、生地２２Ａの中央部端縁に一対の折り返し部２２ａ，２２ｂが裁断形成され、折り返し部２２ａ，２２ｂの付け根部における中央部は後述の縫い目２５，２６による縫着がなされていない。そして、生地２２Ａ，２２Ｂ，２２Ｃの縫着後に、折り返し部２２ａ，２２ｂが表皮材２１の内部において内向きに突出するように表皮材２１を反転させることにより、折り返し部２２ａ，２２ｂ間の縫着がなされていない部分に前記開口部２３が形成されている。
【００１８】
前記表皮材２１の開口部２３の両側には一対のステー挿入口２４Ａ，２４Ｂが、両折り返し部２２ａ，２２ｂの両端部を各一対の間隔をおいて縫い目２５，２６にて縫着することにより、それらの縫い目２５，２６間に区画形成されている。ここで、一方の縫い目２５は、折り返し部２２ａ，２２ｂの先端縁を除いて生地２２Ａの周縁に縫いつけられたものであり、縫い目２６は、折り返し部２２ａ，２２ｂのみに縫いつけられたものである。従って、前述した一方の縫い目２５は、生地２２Ａどうしの縫着と、ステー挿入口２４Ａ，２４Ｂの区画形成とを兼用している。そして、図１に示すように、表皮材２１を表裏反転させた状態で、ヘッドレストステー２７の脚部２７ａを一方のステー挿入口２４Ａから表皮材２１内に挿入した後、他方のステー挿入口２４Ｂから外部に抜き出すことにより、そのヘッドレストステー２７の基端部が表皮材２１の内部に挿入配置されている。
【００１９】
この場合、図３（ａ）に示すように、一対のステー挿入口２４Ａ，２４Ｂ間の間隔Ｌ１がヘッドレストステー２７の両脚部２７ａ間の間隔Ｌ２よりも狭くなるように形成されている（たとえ縫製時に間隔Ｌ１が間隔Ｌ２と等しくても、表皮材２１がふくらむことより間隔Ｌ１は間隔Ｌ２よりも狭くなる）。そして、両ステー挿入口２４Ａ，２４Ｂにヘッドレストステー２７の両脚部２７ａが両ステー挿入口２４Ａ，２４Ｂ間を広げるようにして強制挿入されることにより、表皮材２１の開口部２３の両端が両側方に引っ張られて、その開口部２３が常時閉合状態に保持されるようになっている。なお、図３（ａ）においては、理解を容易にするために、ステー挿入口２４Ａ，２４Ｂ間の間隔Ｌ１をそれらの中心部間の間隔として描いてあるが、実際には、ステー挿入口２４Ａ，２４Ｂの縫い目２５間の間隔を指す。また、ヘッドレストステー２７の両脚部２７ａ間の間隔Ｌ２は、縫い目２５に接する部分の外周面間の間隔を指す。
【００２０】
図２及び図３（ａ）に示すように、前記両ステー挿入口２４Ａ，２４Ｂを区画形成する各一対の縫い目２５，２６のうちで、開口部２３側に位置する内側の縫い目２６の一部には、ステー挿入口２４Ａ，２４Ｂの中心側に変位する変位部２８を設けられている。すなわち、この実施形態においては、変位部２８が各ステー挿入口２４Ａ，２４Ｂの延長方向の中間部に位置するように、内側の縫い目２６がステー挿入口２４Ａ，２４Ｂの中心側に向かって中折れした屈折状に形成されている。
【００２１】
また、図２に示すように、前記両ステー挿入口２４Ａ，２４Ｂにおける内側の縫い目２６の外端部（表皮材２１を縫着後に表裏反転させた際に外端側に位置する部分）には、短い縫い目２６ａが開口部２３側に向かって屈曲形成されている。
【００２２】
そして、ヘッドレストのパッド部２０の成形時には、図１に示すように、表皮材２１の内部にヘッドレストステー２７の基端部が挿入配置された状態で、その表皮材２１が図示しない成形型内にセットされる。その後、表皮材２１の内部に開口部２３から発泡合成樹脂２９が注入されて、その発泡合成樹脂２９が発泡されることにより、ヘッドレストのパッド部２０が成形型のキャビティに従った形状に成形されるようになっている。
【００２３】
次に、前記のように構成されたヘッドレストの作用を説明する。
さて、このヘッドレストでは、図３（ａ）に示すように、表皮材２１の開口部２３の両側に設けられたステー挿入口２４Ａ，２４Ｂ間の間隔Ｌ１が、ヘッドレストステー２７の両脚部２７ａ間の間隔Ｌ２よりも狭くなるように形成されている。このため、図３（ｂ）に示すように、両ステー挿入口２４Ａ，２４Ｂにヘッドレストステー２７の両脚部２７ａを強制挿入したとき、表皮材２１の開口部２３の両端部分が両側方に引っ張られて、その開口部２３が常時閉合状態に保持される。よって、表皮材２１内に注入された発泡合成樹脂２９の発泡成形時に、開口部２３から発泡合成樹脂２９の漏洩が生じるおそれはほとんどない。
【００２４】
また、図２及び図３（ａ）に示すように、両ステー挿入口２４Ａ，２４Ｂにおける内側の縫い目２６の中間部に変位部２８が設けられることにより、両ステー挿入口２４Ａ，２４Ｂの中間部の口径寸法Ｌ３ａが他の部分の口径寸法Ｌ３よりも狭くなっている。このため、図３（ｂ）に示すように、両ステー挿入口２４Ａ，２４Ｂにヘッドレストステー２７の両脚部２７ａを強制挿入したとき、その両脚部２７ａが変位部２８の部分においてステー挿入口２４Ａ，２４Ｂの内周面により強く把持される。従って、各ステー挿入口２４Ａ，２４Ｂが前記脚部２７ａによって外側に押し広げられても、従来構成とは異なり、ステー挿入口２４Ａ，２４Ｂの内側（開口部２３側の部分）に図１１（ｂ）に示すような隙間Ｓが生じることはない。よって、発泡合成樹脂２９の発泡成形に際して、両ステー挿入口２４Ａ，２４Ｂから発泡合成樹脂２９の漏洩が発生するおそれもない。
【００２５】
従って、この実施形態のヘッドレストにおいては、以下の効果を有する。
（１）  開口部２３の両側の一対のステー挿入口２４Ａ，２４Ｂを区画する一対の縫い目２５，２６のうちで、開口部２３側に位置する内側の縫い目２６の一部には、ステー挿入口２４Ａ，２４Ｂの中心側に変位する変位部２８が設けられている。このため、各ステー挿入口２４Ａ，２４Ｂの口径が内側の縫い目２６の一部に設けられた変位部２８により部分的に狭くなる。
【００２６】
よって、発泡合成樹脂２９の発泡成形時に、ステー挿入口２４Ａ，２４Ｂから発泡合成樹脂２９の漏洩が生じるのを防止することができる。
また、ステー挿入口２４Ａ，２４Ｂの全長にわたって口径を狭くしたわけではなく、一部のみ（この実施形態では中間部のみ）狭くしただけであるから、ステー挿入口２４Ａ，２４Ｂに対するヘッドレストステー２７の両脚部２７ａに対する挿入を無理なく容易に行うことができる。そして、このように脚部２７ａの挿入を容易に行うことができることから、ステー挿入口２４Ａ，２４Ｂの周囲に無理な力が加わることがなく、このため、脚部２７ａの挿入状態でステー挿入口２４Ａ，２４Ｂの周縁付近に皺が発生するおそれもない。以上のように、発泡合成樹脂２９の漏洩が生じることがなく、皺が発生することもないため、ヘッドレストとして外観の良好な高品質のものとすることができる。
【００２７】
（２）  さらに、発泡合成樹脂２９の漏洩を防止できるため、ステー挿入口２４Ａ，２４Ｂの延長方向の長さ寸法を大きく確保する必要がない。このため、表皮材２１の幅を大きくする必要がないので、表皮材２１の生地２２Ａを浪費するおそれがないとともに、発泡合成樹脂２９の発泡時の流れが悪くなって、パッド部２０の底部に空気溜りが発生するおそれもない。しかも、ステー挿入口２４Ａ，２４Ｂにシール部材等の別の部材を設ける必要がないため、部品点数が多くなったり、加工工数が増えたりすることがなく、製造が面倒になるおそれもない。
【００２８】
（３）  前記両ステー挿入口２４Ａ，２４Ｂにおける内側の縫い目２６の外端部に、縫い目２６ａが開口部２３側に向かって屈曲形成されている。このため、表皮材２１内で発泡合成樹脂を発泡させたとき、開口部２３から発泡合成樹脂が漏洩するのを抑止できる。すなわち、発泡合成樹脂の発泡圧力により表皮材２１が緊張されて、開口部２３が広がるおそれがあるが、前記縫い目２６ａにより、開口部２３の広がりを抑えて発泡合成樹脂の漏洩を防止できる。
【００２９】
（第２実施形態）
次に、この発明の第２実施形態を、前記第１実施形態と異なる部分を中心に説明する。
さて、この第２実施形態においては、図４に示すように、変位部２８が各ステー挿入口２４Ａ，２４Ｂの延長方向の内端部（表皮材２１を縫着後に表裏反転させた際に内端側に位置する部分）に設けられている。
【００３０】
従って、この第２実施形態によれば、前記第１実施形態における（１），（２）に記載の効果に加えて、以下のような効果を得ることができる。
（４）  このヘッドレストにおいては、各ステー挿入口２４Ａ，２４Ｂの口径が延長方向の内端部で狭くなっているため、各ステー挿入口２４Ａ，２４Ｂ内への発泡合成樹脂２９の侵入を防止できて、発泡合成樹脂２９の漏洩を確実に阻止することができる。
【００３１】
（第３実施形態）
次に、この発明の第３実施形態を、前記第１実施形態と異なる部分を中心に説明する。
さて、この第３実施形態においては、図５に示すように、変位部２８が各ステー挿入口２４Ａ，２４Ｂの延長方向の外端部（表皮材２１を縫着後に表裏反転させた際に外端側に位置する部分）に設けられている。
【００３２】
従って、この第３実施形態によれば、前記第１実施形態における（１），（２）に記載の効果と同様な効果を得ることができる。
（第４実施形態）
次に、この発明の第４実施形態を、前記第１実施形態と異なる部分を中心に説明する。
【００３３】
さて、この第４実施形態においては、図６に示すように、変位部２８が一方のステー挿入口２４Ａでは延長方向の内端部に設けられるとともに、他方のステー挿入口２４Ｂでは延長方向の外端部に設けられている。
【００３４】
従って、この第４実施形態によれば、前記各実施形態における（１），（２），（３）に記載の効果に加えて、以下のような効果を得ることができる。
（５）  このヘッドレストにおいては、両ステー挿入口２４Ａ，２４Ｂの口径がそれらのステー挿入口２４Ａ，２４Ｂに対するヘッドレストステー２７の挿入方向に沿って次第に小さくなるようにできる。よって、表皮材２１内にヘッドレストステー２７を挿入配置する際に、各ステー挿入口２４Ａ，２４Ｂに対してヘッドレストステー２７の脚部２７ａを順次抵抗なく挿入することができ、製造時の作業性が向上する。
【００３５】
（変更例）
なお、この実施形態は、次のように変更して具体化することも可能である。
・  図７に示すように、両ステー挿入口２４Ａ，２４Ｂにおける内側の縫い目２６の外端部から、湾曲縫い目３１ａを介して折り返し縫い目３１を、内側の縫い目２６と所定の間隔をおいて折り返し形成して、開口部２３からの発泡合成樹脂の漏洩を防止できるように構成すること。
【００３６】
・  図８に示すように、両ステー挿入口２４Ａ，２４Ｂにおける内側の縫い目２６の外端部から、屈曲縫い目２６ａを前記第１実施形態よりも長く延長形成すること。
・  図９に示すように、両ステー挿入口２４Ａ，２４Ｂにおける内側の縫い目２６の外端部から、屈曲縫い目２６ａを介して折り返し縫い目３１を、内側の縫い目２６に対して所定の間隔をおいて折り返し形成して、開口部２３からの発泡合成樹脂の漏洩をさらに有効に防止できるように構成すること。
【００３７】
・  前記第２〜第４実施形態のように、変位部２８を両ステー挿入口２４Ａ，２４Ｂの内端部または外端部に設けた構成において、図７〜図９に示すように、折り返し縫い目３１を追加形成したり、屈曲縫い目２６ａを長く延長形成したりすること。
【００３８】
・  前記各実施形態では、表皮材２１の生地２２Ａどうしを縫着するための縫い目２５がステー挿入口２４Ａ，２４Ｂの区画機能を兼備したが、縫い目２５がステー挿入口２４Ａ，２４Ｂの区画機能を兼備することなく、ステー挿入口２４Ａ，２４Ｂを専用の一対の縫い目により区画すること。
【００３９】
・  前記各実施形態において、両ステー挿入口２４Ａ，２４Ｂの内側の縫い目２６を形成する際に、その延長方向の内端部、中間部または外端部にて止め縫いや返し縫いを行うことにより、変位部２８を形成すること。
【図面の簡単な説明】
【００４０】
【図１】第１実施形態のヘッドレストを示す部分破断斜視図。
【図２】そのヘッドレストにおけるステー挿入口の縫着構造を表裏反転状態で示す部分正面図。
【図３】（ａ），（ｂ）は、そのステー挿入口へのヘッドレストステーの挿入過程を説明する断面図。
【図４】第２実施形態のステー挿入口の縫着構造を表裏反転状態で示す部分正面図。
【図５】第３実施形態のステー挿入口の縫着構造を表裏反転状態で示す部分正面図。
【図６】第４実施形態のステー挿入口の縫着構造を表裏反転状態で示す部分正面図。
【図７】ステー挿入口の縫着構造の変形例を表裏反転状態で示す部分正面図。
【図８】ステー挿入口の縫着構造の変形例を表裏反転状態で示す部分正面図。
【図９】ステー挿入口の縫着構造の変形例を表裏反転状態で示す部分正面図。
【図１０】従来のヘッドレストにおけるステー挿入口の縫着構造を表裏反転状態で示す部分正面図。
【図１１】（ａ），（ｂ）は、そのステー挿入口へのヘッドレストステーの挿入過程を説明する断面図。
【符号の説明】
【００４１】
２１…表皮材、２２Ａ…生地、２２ａ，２２ｂ…折り返し部、２３…開口部、２４Ａ，２４Ｂ…ステー挿入口、２５，２６…縫い目、２７…ヘッドレストステー、２７ａ…脚部、２８…変位部、２９…発泡合成樹脂。
【図１】
2005041410.tif 000003
【図２】
2005041410.tif 000004
【図３】
2005041410.tif 000005
【図４】
2005041410.tif 000006
【図５】
2005041410.tif 000007
【図６】
2005041410.tif 000008
【図７】
2005041410.tif 000009
【図８】
2005041410.tif 000010
【図９】
2005041410.tif 000011
【図１０】
2005041410.tif 000012
【図１１】
2005041410.tif 000013